(57)【要約】【課題】ユーザが現在位置において有効なコンテンツを受信する。【解決手段】コンテンツ受信プログラムを受信する通信部１５と、コンテンツ受信プログラムに規定されたタイミングで、自装置の識別子と、現在の時刻と、現在の位置情報とを含む端末データを送信する端末データ送信部１１１と、コンテンツデータを受信し、ディスプレイに表示する表示処理部１１２とを有するコンテンツ受信装置１０ａ，１０ｂと、リクエスト信号を受信すると、コンテンツ受信プログラムを送信するプログラム送信部３１０と、端末データを受信すると、リストデータが含む時刻及び位置の範囲と関連付けられるコンテンツの識別子を抽出する抽出部３１３と、抽出した識別子のコンテンツデータを送信するコンテンツ送信部３１４とを有するコンテンツ配信サーバ３０とを備える。【選択図】図１
2014229117.tif 000002
【特許請求の範囲】
【請求項１】
登録された装置にコンテンツデータを配信するコンテンツ配信システムであって、
コンテンツ配信システムへの登録を希望するリクエスト信号を送信し、当該リクエスト信号に対する応答として送信されたコンテンツ受信プログラムを受信する通信部と、
コンテンツ受信プログラムを受信すると、当該コンテンツ受信プログラムに規定されたタイミングで、自装置の識別子と、現在の時刻と、現在の位置情報とを含む端末データを送信する端末データ送信部と、
前記端末データ送信部が送信した端末データに応じて送られたコンテンツデータを受信し、ディスプレイに表示する表示処理部と、
を有するコンテンツ受信装置と、
コンテンツ受信装置から送信されたリクエスト信号を受信すると、当該コンテンツ受信装置にコンテンツ受信プログラムを送信するプログラム送信部と、
コンテンツ受信装置から送信された端末データを受信すると、コンテンツの識別子と、当該識別子で識別されるコンテンツを配信する位置の範囲及び時刻の範囲を関連付けるリストデータをリストデータ記憶部から読み出し、当該リストデータから、受信した端末データに含まれる時刻及び位置の範囲と関連付けられるコンテンツの識別子を抽出する抽出部と、
前記抽出部が抽出した識別子のコンテンツデータをコンテンツデータが記憶されるコンテンツ記憶部から読み出し、前記コンテンツ受信装置に送信するコンテンツ送信部と、
を有するコンテンツ配信サーバと、
を備えることを特徴とするコンテンツ配信システム。
【請求項２】
コンテンツ配信システムへの登録を希望するリクエスト信号を送信し、当該リクエスト信号に対する応答として送信されたコンテンツ受信プログラムを受信する通信部と、
コンテンツ受信プログラムを受信すると、当該コンテンツ受信プログラムに規定されたタイミングで、自装置の識別子と、現在の時刻と、現在の位置情報とを含む端末データを送信する端末データ送信部と、
前記端末データ送信部が送信した端末データに応じて送られたコンテンツデータを受信し、ディスプレイに表示する表示処理部と、
を有するコンテンツ受信装置。
【請求項３】
予め規定されたタイミングで、自装置の識別子と、現在の時刻と、現在の位置情報とを含む端末データを送信するステップと、
送信した端末データに応じて送られたコンテンツデータを受信するステップと、
このコンテンツデータをディスプレイに表示するステップと、
をコンテンツ受信装置に実行させることを特徴とするコンテンツ受信プログラム。
【発明の詳細な説明】
【技術分野】
【０００１】
本発明は、ユーザに現在位置において有効なコンテンツを配信するコンテンツ配信システム、ユーザが現在位置において有効なコンテンツを受信するコンテンツ受信装置及びコンテンツ受信プログラムに関する。
【背景技術】
【０００２】
近年では、通信技術及び様々なモバイル端末が発展し、ユーザは移動先においてもモバイル端末を利用しながら移動先で必要な情報を簡単に取得することができる。例えば、ユーザは、旅行の際、モバイル端末を利用して滞在地で最適な宿や温泉の選択、希望に合う博物館や美術館等の選択のための情報収集を行うことができる。
【０００３】
これに対し、ユーザの条件に応じて情報を提供する技術がある（例えば、非特許文献１参照）。また、スマートフォンに地域情報を提供する技術もある（例えば、非特許文献２参照）。例えば、観光地等では、観光客向けに様々なイベントを企画していることがあるが、旅行者は、非特許文献１及び２に記載されるような技術を利用してこのようなイベントに関する情報を収集することもできる。
【先行技術文献】
【非特許文献】
【０００４】
【非特許文献１】瀬古俊一、他4名、「パーソナル情報スタイル」、NTT技術ジャーナル、一般社団法人電気通信協会、2013年1月、第25巻、第1号、p.47-51
【非特許文献２】小池義晶、他７名、「地域情報の発見を支援する時空間マップ型Web検索技術」、NTT技術ジャーナル、一般社団法人電気通信協会、2012年5月、第24巻、第5号、p.24-28
【発明の概要】
【発明が解決しようとする課題】
【０００５】
旅行者は旅行の際に複数の場所を選択し、その旅行の間、複数の場所を順番に移動することが一般的である。また、旅行者による各場所での滞在時間は限られている。一方、観光地で企画されるイベントにも開始時間と終了時間が定められている。したがって、旅行者は、自分の移動に合わせて、各観光地で開催されるイベントの情報を取得することができることが好ましい。
【０００６】
上記課題に鑑み、本発明は、ユーザに現在位置において有効なコンテンツを配信するコンテンツ配信システム、ユーザが現在位置において有効なコンテンツを受信するコンテンツ受信装置及びコンテンツ受信プログラムを提供することを目的とする。
【課題を解決するための手段】
【０００７】
上記目的を達成するために、本発明に係るコンテンツ配信システムは、コンテンツ配信システムへの登録を希望するリクエスト信号を送信し、当該リクエスト信号に対する応答として送信されたコンテンツ受信プログラムを受信する通信部と、コンテンツ受信プログラムを受信すると、当該コンテンツ受信プログラムに規定されたタイミングで、自装置の識別子と、現在の時刻と、現在の位置情報とを含む端末データを送信する端末データ送信部と、前記端末データ送信部が送信した端末データに応じて送られたコンテンツデータを受信し、ディスプレイに表示する表示処理部とを有するコンテンツ受信装置と、コンテンツ受信装置から送信されたリクエスト信号を受信すると、当該コンテンツ受信装置にコンテンツ受信プログラムを送信するプログラム送信部と、コンテンツ受信装置から送信された端末データを受信すると、コンテンツの識別子と、当該識別子で識別されるコンテンツを配信する位置の範囲及び時刻の範囲を関連付けるリストデータをリストデータ記憶部から読み出し、当該リストデータから、受信した端末データに含まれる時刻及び位置の範囲と関連付けられるコンテンツの識別子を抽出する抽出部と、前記抽出部が抽出した識別子のコンテンツデータをコンテンツデータが記憶されるコンテンツ記憶部から読み出し、前記コンテンツ受信装置に配信するコンテンツ送信部とを有するコンテンツ配信サーバとを備える。
【発明の効果】
【０００８】
本発明によれば、ユーザが現在位置において有効なコンテンツを受信することができる。
【図面の簡単な説明】
【０００９】
【図１】図１は、実施形態に係るコンテンツ配信システムの構成を説明する図である。
【図２】図２は、コンテンツ受信装置から送信される端末データの一例である。
【図３】図３は、コンテンツ配信サーバで使用されるユーザデータの一例である。
【図４】図４は、コンテンツ配信サーバで使用されるリストデータの一例である。
【図５】図５は、図１のシステムにおいて実行される処理の一例を説明するシーケンス図である。
【図６】図６は、コンテンツ配信サーバのデータの配信範囲と、コンテンツ受信装置の移動とを説明する図である。
【図７】図７は、コンテンツ配信サーバが配信するデータの一例である。
【発明を実施するための形態】
【００１０】
以下に、図面を用いて本発明に係るコンテンツ配信システム、コンテンツ受信装置及びコンテンツ受信プログラムについて説明する。本発明に係るコンテンツ配信システムは、特定の場所で必要な情報をその特定の場所に存在するユーザのコンテンツ受信装置に最適なタイミングで配信するものである。以下では、コンテンツ配信装置が、ある観光地に存在するコンテンツ受信装置に、その観光地で行われるイベント等の情報をそのイベントの開催時刻の前に配信するものとして説明する。
【００１１】
図１に示すように、実施形態に係るコンテンツ配信システム１は、コンテンツ受信装置１０ａ，１０ｂと、誘導装置２０と、コンテンツ配信サーバ３０とを備えている。また、各コンテンツ受信装置１０ａ，１０ｂは、コンテンツ配信サーバ３０とネットワークＮを介して接続されている。このネットワークＮは有線、無線、電話回線、携帯電話接続、Wifi、無線LAN等、システム間を接続可能な手段であればよい。図１に示す例では、コンテンツ配信システム１は２台のコンテンツ受信装置１０ａ，１０ｂを備えているが、コンテンツ配信システム１が備えるコンテンツ受信装置の数は限定されない。また、コンテンツ配信システム１は、複数の誘導装置２０ａを備えている。
【００１２】
〈誘導装置〉
誘導装置２０は、誘導データを有しており、この誘導データがコンテンツ受信装置１０ａ，１０ｂによって取得される。具体的には、誘導データは、コンテンツ受信装置１０ａ，１０ｂにコンテンツ配信システム１への登録を誘導するデータであって、以下では、コンテンツ配信サーバ３０のＵＲＬ又はこのＵＲＬを含むデータであるものとして説明する。
【００１３】
例えば、この誘導装置２０は、ディジタルサイネージ等の装置であって、そのディスプレイに表示される誘導データ（例えば、コンテンツ配信サーバ３０のＵＲＬ、ＵＲＬ情報を含むＱＲコード（登録商標）又はＵＲＬ情報を含むバーコード等）をコンテンツ受信装置１０ａ，１０ｂに配信する。または、この誘導装置２０は、非接触ＩＣリーダライタ機能を有する装置であって、この非接触ＩＣリーダライタ機能を利用して誘導データをコンテンツ受信装置１０ａ，１０ｂに配信する。例えば、この誘導装置２０は、観光地のメインの駅、バスターミナル、空港、観光案内所等、観光客が観光を始める際に始めに立ち寄る場所等に備えられていることが好ましい。
【００１４】
〈コンテンツ受信装置〉
コンテンツ受信装置１０ａは、例えば、ユーザに携帯され、ユーザの移動とともに移動するＣＰＵ（中央処理装置）１１、記憶装置１２、入力装置１３、出力装置１４、通信装置１５を有するスマートフォンやタブレット等の通信機能を有する情報処理端末である。このコンテンツ受信装置１０ａは、コンテンツ受信プログラムＰ１をダウンロードし、インストールすることで、ＣＰＵ１１がコンテンツ配信システム１を利用してコンテンツ受信のために登録データ送信部１１０、端末データ送信部１１１、表示処理部１１２として処理を実行する。その他、コンテンツ受信装置１０ａは、取得部１６及びデータ収集部１７を有している。
【００１５】
入力装置１３は、操作ボタン、タッチパネル及びマイクロホン等の操作信号やデータを入力するための装置である。出力装置１４は、ディスプレイ及びスピーカ等の装置である。通信装置１５は、ネットワークを介したデータの送信及び受信の処理を実行する装置である。
【００１６】
取得部１６は、誘導装置２０が有する誘導データを取得する。例えば、誘導装置２０が有する誘導データがＱＲコード（登録商標）の場合、ＱＲコード（登録商標）を読み取る読取装置である。また、誘導装置２０が非接触ＩＣリーダライタ機能によって誘導データを配信している場合、取得部１６は、非接触ＩＣリーダライタ機能である。
【００１７】
取得部１６が誘導データを取得すると、コンテンツ受信装置１０ａは、誘導データにしたがって、コンテンツ受信プログラムＰ１を取得する。上述したように、誘導データには、コンテンツ配信サーバ３０のＵＲＬが含まれている。したがって、誘導データを取得したコンテンツ受信装置１０ａは、コンテンツ配信サーバ３０にアクセスしてコンテンツ受信プログラムＰ１をダウンロードして記憶装置１２に記憶する。また、コンテンツ受信装置１０ａは、このコンテンツ受信プログラムＰ１をインストールした後、コンテンツの受信の処理を開始する。
【００１８】
データ収集部１７は、コンテンツ受信装置１０ａの現在の位置情報と、現在の時刻を収集する装置である。例えば、データ収集部１７は、ＧＰＳ（全地球測位システム）等を利用して、位置情報と時刻を収集する。
【００１９】
登録データ送信部１１０は、コンテンツ受信プログラムＰ１がインストールされると、データ収集部１７から位置情報及び時刻を入力して登録データを生成し、通信装置１５を介してコンテンツ配信サーバ３０に送信する。
【００２０】
登録データは、図２（ａ）に一例を示すように、少なくとも「ユーザＩＤ」、「時刻」及び「位置情報」を含むデータである。ここで、「ユーザＩＤ」は、例えば、電子メールアドレス等のネットワークＮ上でコンテンツ受信装置１０ａを識別する識別情報である。
【００２１】
端末データ送信部１１１は、所定のタイミングでデータ収集部１７から位置情報及び時刻を入力して端末データを生成し、通信装置１５を介してコンテンツ配信サーバ３０に送信する。ここで、端末データは、図２（ａ）を用いて上述した登録データと同一の構成であって、少なくとも「ユーザＩＤ」、「時刻」及び「位置情報」を含む。
【００２２】
例えば、コンテンツ受信プログラムＰ１では、定期的なタイミングで端末データを送信するように規定しており、端末データ送信部１１１は、定期的に端末データを生成して送信する。その他、コンテンツ受信プログラムＰ１は、コンテンツ受信装置１０ａが一定距離を移動する毎に端末データを送信するように規定していてもよい。
【００２３】
また、コンテンツ受信装置１０ａでは、入力装置１３を介して、コンテンツ配信システム１への接続の終了を操作する操作信号を入力した場合、コンテンツ受信プログラムＰ１の実行は終了する。したがって、コンテンツ受信プログラムＰ１の実行の終了により、端末データ送信部１１１による端末データの送信も終了する。
【００２４】
表示処理部１１２は、通信装置１５を介してコンテンツ配信サーバ３０から送信された送信コンテンツデータを受信すると、このコンテンツデータを出力装置１４に表示する。
【００２５】
なお、コンテンツ受信装置１０ｂもコンテンツ受信装置１０ａと同様に、ＣＰＵ１１、記憶装置１２、入力装置１３、出力装置１４、通信装置１５、取得部１６及びデータ収集部１７等を有する構成である。また、コンテンツ受信装置１０ｂも、コンテンツ受信プログラムＰ１がインストールされることにより、ＣＰＵ１１が登録データ送信部１１０、端末データ送信部１１１及び表示処理部１１２として処理を実行し、図２（ｂ）に示すような登録データや端末データが送信され、また、コンテンツ配信サーバ３０から受信したコンテンツデータを出力装置１４に表示する。
【００２６】
〈コンテンツ配信サーバ〉
コンテンツ配信サーバ３０は、図１に示すように、プログラム送信部３１０と、登録部３１１と、更新部３１２と、抽出部３１３と、コンテンツ送信部３１４とを有している。このコンテンツ配信サーバ３０は、ＣＰＵ３１、通信Ｉ／Ｆ３２及び記憶装置３３等を有する情報処理装置であって、記憶装置３３に記憶されるサーバプログラムＰ２が実行されることで、ＣＰＵ３１がプログラム送信部３１０、登録部３１１、更新部３１２、抽出部３１３及びコンテンツ送信部３１４として処理を実行する。また、記憶装置３３では、リクエストに応じて送信するコンテンツ受信プログラムＰ１と、登録されたユーザのユーザデータＤ１と、コンテンツデータの送信対象のエリアと時間のリストに関するリストデータＤ２と、コンテンツ配信サーバ３０が配信する複数のコンテンツデータＤ３とを記憶している。
【００２７】
ユーザデータＤ１は、登録されたユーザの位置情報に関するデータである。具体的には、図３に一例を示すように、「ユーザＩＤ」に「時刻」とその時刻にユーザが存在した「場所」を関連付けるデータである。図３（ａ）は、ユーザＩＤ「ａ０００」のユーザデータであって、１０：１０の位置が「ｘ１０，ｙ１０，ｚ１０」であり、１１：００の位置が「ｘ２１，ｙ２１，ｚ２１」であることが分かる。また、図３（ｂ）は、ユーザＩＤ「ｂ０００」のユーザデータであって、１３：００の位置が「ｘ１０，ｙ１０，ｚ１０」であり、１６：００の位置が「ｘ２１，ｙ２１，ｚ２１」であることが分かる。
【００２８】
リストデータＤ２は、コンテンツの送信対象の位置範囲及び時刻に関するデータである。具体的には、リストデータＤ２は、コンテンツを配信する「時間」と「場所」の範囲と、配信対象のコンテンツの識別情報である「コンテンツＩＤ」が規定されるデータである。例えば、図４に示すリストデータの例では、１０：３０から１１：３０の間に、ｘ２０，ｙ２０，ｚ２０から半径２ｋｍ以内に存在するコンテンツ受信装置にコンテンツＩＤ「ｔ００１」のコンテンツを配信し、１０：３０から１６：３０の間に、ｘ２０，ｙ２０，ｚ２０から半径２ｋｍ以内に存在するコンテンツ受信装置にコンテンツＩＤ「ｔ００２」のコンテンツを配信することが規定されている。
【００２９】
コンテンツデータＤ３は、コンテンツ配信サーバ３０がコンテンツ受信装置に配信可能なコンテンツの実データである。例えば、リストデータＤ２で規定されるコンテンツＩＤ「ｔ００１」の実データやコンテンツＩＤ「ｔ００２」の実データである。
【００３０】
プログラム送信部３１０は、コンテンツ受信装置１０ａ，１０ｂから送信されたリクエスト信号を受信すると、記憶装置３３に記憶されているコンテンツ受信プログラムＰ１を読み出し、通信Ｉ／Ｆ３２を介してコンテンツ受信装置１０ａ，１０ｂに送信する。ここで、リクエスト信号には、コンテンツ受信装置１０ａを識別する識別情報を含んでおり、この識別情報を宛先としてコンテンツ受信プログラムＰ１を送信する。
【００３１】
登録部３１１は、コンテンツ受信装置１０ａ，１０ｂから送信された登録データを受信すると、受信した登録データが含む情報をユーザデータＤ１として記憶装置３３に記憶し、ユーザ登録を実行する。
【００３２】
更新部３１２は、コンテンツ受信装置１０ａ，１０ｂから送信された端末データを受信すると、受信した端末データが含む情報を追加してユーザデータＤ１を更新する。すなわち、図３（ａ）のユーザデータは、１０：００に送信された登録データと１１：００に送信された端末データの情報を含むデータである。また、図３（ｂ）のユーザデータは、１３：００に送信された登録データと、１６：００に送信された端末データの情報を含むデータである。
【００３３】
抽出部３１３は、コンテンツ受信装置１０ａ，１０ｂから送信された端末データを受信すると、この端末データに含まれる「位置情報」及び「時刻」に対応するコンテンツＩＤをリストデータから抽出し、端末データに含まれるユーザＩＤとともに、抽出したコンテンツＩＤをコンテンツ送信部３１４に出力する。なお、仮に、コンテンツＩＤが抽出されない場合には、抽出部３１３は、コンテンツＩＤをコンテンツ送信部３１４に出力することはできない。
【００３４】
また、ここで、抽出部３１３は、コンテンツＩＤを抽出した際、ユーザデータＤ１を参照し、このデータの過去の位置情報を利用して、同一のコンテンツＩＤのコンテンツデータを過去に送信していないか判定してもよい。すなわち、ユーザが長時間一定の場所に止まっている場合や、ユーザの移動範囲が狭い場合、同一のコンテンツＩＤが抽出されることが考えられる。しかしながら、ユーザ側にとって、同一のコンテンツデータを複数回受信することは好ましくないこともある。したがって、同一コンテンツＩＤのコンテンツデータが過去に送信されていたと判断される場合には、抽出部３１３は、このコンテンツＩＤをコンテンツ送信部３１４に出力しないようにすることができる。
【００３５】
コンテンツ送信部３１４は、抽出部３１３からコンテンツＩＤ及びユーザＩＤを入力すると、入力したコンテンツＩＤのコンテンツデータを記憶装置３３から読み出し、読み出したコンテンツデータを入力したユーザＩＤで特定される対象のコンテンツ受信装置１０ａ，１０ｂに送信する。
【００３６】
〈登録及びコンテンツ配信処理〉
続いて、図５に示すシーケンス図を用いて、コンテンツ配信システム１における登録及びコンテンツ配信の処理について説明する。
【００３７】
まず、コンテンツ受信装置１０ａが誘導装置２０から誘導データを取得する（Ｓ１）。その後、コンテンツ受信装置１０ａは、誘導データにしたがって、コンテンツ配信サーバ３０にコンテンツ受信プログラムＰ１の送信を要求するリクエスト信号を送信する（Ｓ２）。
【００３８】
コンテンツ受信装置１０ａから送信されたリクエスト信号を受信したコンテンツ配信サーバ３０のプログラム送信部３１０は、コンテンツ受信プログラムＰ１をコンテンツ受信装置１０ａに送信する（Ｓ３）。
【００３９】
コンテンツ受信装置１０ａは、コンテンツ配信サーバ３０からコンテンツ受信プログラムＰ１を記憶装置１２に記憶して、インストールする（Ｓ４）。その後、登録データ送信部１１０は、登録データを生成し、コンテンツ配信サーバ３０に送信する（Ｓ５）。例えば、図６に示す例において、コンテンツ受信装置１０ａが１０：００にＸ１に存在するとき、登録データ送信部１１０は、コンテンツ受信装置１０ａを特定するユーザＩＤ、時刻「１０：００」、位置情報「ｘ１０，ｙ１０，ｚ１０」を含む登録データを生成して送信する。
【００４０】
コンテンツ受信装置１０ａから送信された登録データを受信したコンテンツ配信サーバ３０の登録部３１１は、受信した端末データをコンテンツ配信の対象者に関するユーザデータＤ１として記憶装置３３に記憶する（Ｓ６）。このステップＳ１〜Ｓ３までの処理が端末データを登録する処理であり、この登録の後、コンテンツ受信装置１０ａへのコンテンツデータの配信が開始される。
【００４１】
その後、コンテンツ受信装置１０ａの端末データ送信部１１１は、端末データを生成し、コンテンツ配信サーバ３０に送信する（Ｓ７）。例えば、図６に示す例において、コンテンツ受信装置１０ａが１１：００にＸ２に存在するとき、端末データ送信部１１１は、コンテンツ受信装置１０ａを特定するユーザＩＤ、時刻「１１：００」、位置情報「ｘ２１，ｙ２１，ｚ２１」を含む端末データを生成して送信する。
【００４２】
コンテンツ受信装置１０ａから送信された端末データを受信したコンテンツ配信サーバ３０の更新部３１２は、受信した端末データを同一のユーザＩＤを含むユーザデータＤ１に追加して、ユーザデータＤ１を更新する（Ｓ８）。例えば、時刻「１１：００」及び位置Ｘ２を特定する位置情報「ｘ２１，ｙ２１，ｚ２１」を含む端末データを受信したとき、更新部３１２は、ユーザデータＤ１を図３（ａ）に示すように更新する。
【００４３】
また、抽出部３１３は、リストデータＤ２から、新たに受信した「位置情報」に対応する「コンテンツＩＤ」を抽出する（Ｓ９）。図６に示す例において、ユーザが存在する位置Ｘ２は、位置Ｘから半径２ｋｍの範囲内であることが分かる。したがって、抽出部３１３は、図４に示すリストデータＤ２からは、コンテンツＩＤ「ｔ００１」及び「ｔ００２」を抽出する。
【００４４】
コンテンツ送信部３１４は、抽出部３１３が抽出した「コンテンツＩＤ」のコンテンツデータを記憶装置３３から読み出し、通信Ｉ／Ｆ３２を介してコンテンツ受信装置１０ａに送信する（Ｓ１０）。
【００４５】
コンテンツ配信サーバ３０から送信されたコンテンツデータを受信したコンテンツ受信装置１０ａの表示処理部１１２は、受信したコンテンツデータを出力装置１４に表示する（Ｓ１１）。例えば、表示処理部は、このステップＳ７〜１１の処理がコンテンツ配信サーバ３０からコンテンツ受信装置１０ａにコンテンツを配信する処理であり、登録が解除されるまで、この処理が繰り返される。
【００４６】
登録が解除されるタイミングとは、例えば、所定の範囲内から外れて一定期間が経過したタイミングである。このように所定の範囲から外れて一定期間が経過したときには、ユーザデータに記憶されていたユーザＩＤを含むユーザデータは全て削除され、その後、このユーザＩＤで特定されるコンテンツ受信装置１０ａからコンテンツ配信サーバ３０に端末データが送信されたとしてもこのコンテンツ受信装置１０ａにはコンテンツデータは送信されることはない。
【００４７】
また仮に、図３（ｂ）に示すように、コンテンツ受信装置１０ｂが位置Ｘ１において１３：００に登録データを送信し、位置Ｘ２において１６：００に端末データを送信した場合、コンテンツ配信サーバ３０の抽出部３１３は、１６：００にコンテンツＩＤ「ｔ００２」のみを抽出し、コンテンツ送信部３１４は、「ｔ００２」で特定されるコンテンツを送信する。
【００４８】
なお、上述した例では、誘導データは、コンテンツ配信サーバ３０のＵＲＬであって、コンテンツ配信サーバ３０がコンテンツ受信装置１０ａ，１０ｂにコンテンツ受信プログラムを提供するものとして説明したが、プログラム提供用のサーバが存在していてもよい。
【００４９】
また、上述した例では、誘導装置２０は、観光地に備えられるディジタルサイネージ等であったが、その他、誘導装置２０は、例えば、ネットワークを介してコンテンツ受信装置１０ａ，１０ｂと接続されるその観光地のＷｅｂサイト等を提供するＷｅｂサーバ等であっても良い。この場合、ユーザは、観光地に訪れる前に予めコンテンツ受信プログラムＰ１をダウンロードすることもできる。
【００５０】
さらに、上述した例では観光客向けの情報配信を例としたが、ユーザが現在位置において有効なコンテンツを受信する用途、例えばオフィス内の情報配信、学校内の情報配信、遊園地等のアミューズメント施設における情報配信、競技場、野球場等スポーツ施設における情報配信等への適用も可能であり、用途を限定するものではない。
【００５１】
上述したように、本発明に係るコンテンツ配信システムは、ユーザにとって有効な情報のみを配信することができる。したがって、ユーザは不要な情報を含む膨大な情報の中から必要な情報を選択することなく、厳選された有効な情報の中から必要な情報を選択することが可能となる。
【００５２】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００５３】
１…コンテンツ配信システム
１０ａ，１０ｂ…コンテンツ受信装置
１１…ＣＰＵ
１１０…登録データ送信部
１１１…端末データ送信部
１１２…表示処理部
１２…記憶装置
１３…入力装置
１４…出力装置
１５…通信装置
１６…取得部
１７…データ収集部
２０…誘導装置
３０…コンテンツ配信サーバ
３１…ＣＰＵ
３１０…プログラム送信部
３１１…登録部
３１２…更新部
３１３…抽出部
３１４…コンテンツ送信部
３２…通信Ｉ／Ｆ
３３…記憶装置
Ｄ１…ユーザデータ
Ｄ２…リストデータ
Ｄ３…コンテンツデータ
Ｐ１…コンテンツ受信プログラム
Ｐ２…サーバプログラム
Ｎ…ネットワーク
【図１】
2014229117.tif 000003
【図２】
2014229117.tif 000004
【図３】
2014229117.tif 000005
【図４】
2014229117.tif 000006
【図５】
2014229117.tif 000007
【図６】
2014229117.tif 000008
【図７】
2014229117.tif 000009